(57)【要約】【課題】  ワーク乾燥室の外部に加熱器を加熱するための加熱源装置を別個に設ける必要がなく、また熱伝達が効率的となるワーク乾燥室の加熱装置を提供することに関する。【解決手段】  ワーク乾燥室の外側を、洗浄に使用した溶剤を回収して溶剤蒸気を生成する蒸留器で包み込み、この蒸留器に加熱槽を付設させたことを特徴とするワーク乾燥室の加熱装置であり、これにより、ワーク乾燥室と蒸留器と加熱槽とが、ひとまとまりに一体化され、加熱装置全体がコンパクトとなり、設置面積が可及的に小さくでき、無駄なスペースを占領しないという効果がある。【選択図】      図１
0003111506.tif 000002
【実用新案登録請求の範囲】
【請求項１】
ワーク乾燥室の外側を、洗浄に使用した溶剤を回収して溶剤蒸気を生成する蒸留器で包み込み、この蒸留器に加熱槽を付設させたことを特徴とするワーク乾燥室の加熱装置。
【請求項２】
ワーク乾燥室の外側を、洗浄に使用した溶剤を回収して溶剤蒸気を生成する蒸留器で包み込み、この蒸留器に加熱槽を付設させ、蒸気化される溶剤を導入する溶剤導入配管を前記蒸留器にバルブを介して配管接続し、さらにこの蒸留器に、ワーク乾燥室に溶剤蒸気を送り込むための送り込み配管をバルブを介して配管接続し、この送り込み配管には、第１外気導入配管をバルブを介して配管接続すると共に蒸留器真空系をバルブを介して配設し、前記ワーク乾燥室には、ワーク乾燥室真空系をバルブを介して配設すると共に第２外気導入配管をバルブを介して配管接続し、さらにワーク乾燥室の底部付近には、バルブを介して第１液抜き配管を配管接続し、この第１液抜き配管を経由して残液受けを設置し、前記蒸留器の底部付近には、バルブを介して第２液抜き配管を配管接続したことを特徴とするワーク乾燥室の加熱装置。
【請求項３】
加熱槽にヒーターを付設し、蒸留器に加熱管を付設したことを特徴とする請求項１又は２記載のワーク乾燥室の加熱装置。
【考案の詳細な説明】
【技術分野】
【０００１】
本考案はワーク乾燥室の加熱装置に係り、さらに詳しくは、金属、セラミックス、プラスチックス等の加工物（以下単に「ワーク」という）を収納して、そのワークの洗浄時に付着した有機溶剤等を、高温雰囲気下でワークから乾燥させるためのワーク乾燥室の加熱装置に関する。
【背景技術】
【０００２】
上記のワーク乾燥室４を加熱する装置としては、ワーク乾燥室４の周囲に加熱器５を配設し、図２に示すごとく、加熱器５の加熱源として熱媒体油を加熱して使用（例えば、温度調節が可能な加熱油槽１２を利用する）し、この加熱された熱媒体油をワーク乾燥室４の外壁面に沿わせて加熱油循環ポンプ１３で循環させる装置と、図３に示すごとく、加熱器５の加熱源としてスチーム１７を使用し、このスチーム１７をワーク乾燥室４の外壁面に沿わせてスチーム供給管１８やスチームトラップ１９を介して、加熱させる装置とがある。
【０００３】
上記したワーク乾燥室を加熱する装置は、いずれにしてもワーク乾燥室の加熱器を加熱するために加熱源装置を別個に設ける必要がある上、この加熱器のみの加熱ではワーク乾燥室内が真空であることより、その熱伝達は輻射伝達となり、この輻射伝達の熱伝達は非効率的でワークの加熱に極めて多くの時間を要するという結果となっていた。
【０００４】
【特許文献１】特公平６−１１４３５号公報
【考案の開示】
【考案が解決しようとする課題】
【０００５】
すなわち、この特許文献１に記載されたワーク乾燥室の加熱装置では、ワーク乾燥室の外部に加熱器を加熱するための加熱源装置を別個に設ける必要があるため、設備費がかさむうえ設置スペースも大きくなり、かつその場合といえども熱伝達が非効率的となる等の問題点があった。
【課題を解決するための手段】
【０００６】
上記目的を達成するために、請求項１記載の考案は、ワーク乾燥室の外側を、洗浄に使用した溶剤を回収して溶剤蒸気を生成する蒸留器で包み込み、この蒸留器に加熱槽を付設させたことを特徴とするワーク乾燥室の加熱装置である。
【０００７】
請求項２記載の考案は、ワーク乾燥室の外側を、洗浄に使用した溶剤を回収して溶剤蒸気を生成する蒸留器で包み込み、この蒸留器に加熱槽を付設させ、蒸気化される溶剤を導入する溶剤導入配管を前記蒸留器にバルブを介して配管接続し、さらにこの蒸留器に、ワーク乾燥室に溶剤蒸気を送り込むための送り込み配管をバルブを介して配管接続し、この送り込み配管には、第１外気導入配管をバルブを介して配管接続すると共に蒸留器真空系をバルブを介して配設し、前記ワーク乾燥室には、ワーク乾燥室真空系をバルブを介して配設すると共に第２外気導入配管をバルブを介して配管接続し、さらにワーク乾燥室の底部付近には、バルブを介して第１液抜き配管を配管接続し、この第１液抜き配管を経由して残液受けを設置し、前記蒸留器の底部付近には、バルブを介して第２液抜き配管を配管接続したことを特徴とするワーク乾燥室の加熱装置である。
【０００８】
請求項３記載の考案は、加熱槽にヒーターを付設し、蒸留器に加熱管を付設したことを特徴とする請求項１又は２記載のワーク乾燥室の加熱装置である。
【考案の効果】
【０００９】
以上述べたように、請求項１乃至３のワーク乾燥室の加熱装置によれば、ワーク乾燥室と蒸留器と加熱槽とが、ひとまとまりに一体化されているため、加熱装置全体がコンパクトとなり、設置面積が可及的に小さくでき、無駄なスペースを占領しないという効果がある。
【００１０】
さらには従来装置のように、加熱器の熱媒体として熱媒体油やスチーム等の特別の熱媒体を用いないので、新たな熱媒体のために別個の装置を設けなくても済み、これにより設備費の低減を図れるという効果があり、かつワーク乾燥室の加熱は従来備わっていた蒸気発生器からの溶剤蒸気を利用するようにしたので、熱伝達が効率的に行なえるようになる等の効果もある。
【考案を実施するための最良の形態】
【００１１】
以下添付図面に基づいて、本考案に係るワーク乾燥室の加熱装置の実施例を詳説する。
図１は本考案装置の全体を示す構成図であり、図２は従来装置（加熱器の加熱源として、熱媒体油を使用する例）の全体を示す構成図、図３は従来装置（加熱器の加熱源として、スチームを使用する例）の全体を示す構成図である。
【実施例１】
【００１２】
本考案のワーク乾燥室の加熱装置２０は、全体として、ワーク乾燥室４の外側を、洗浄機２６において洗浄に使用した溶剤を回収して溶剤蒸気を生成する蒸留器２で包み込み、この蒸留器２に加熱槽３を付設させたものであり、これにより加熱装置２０の大きさを小さくすることができ、装置の設置面積が改善される。
【００１３】
まず加熱装置２０のワーク乾燥室４を使用する前にあっては、バルブＶ４を開き、蒸留器真空系７（例えば真空ポンプ）を作動させて蒸留器２内を真空にする。
このとき加熱槽３も加熱（必要に応じてヒーター２４を稼動する）しておき、蒸留器２内に設置した加熱管２５を利用しながら、蒸留器２の中で溶剤を速やかに蒸留できる態勢とし、その状態を保持する。
【００１４】
ついで、バルブＶ１を開いて、洗浄機２６等から蒸気化される溶剤（主として洗浄に使用されたもの）を、蒸留器２内に溶剤導入配管１を経由して導入する。
このようにすることで蒸留器２内は溶剤蒸気で満たされ、この溶剤蒸気の熱エネルギーがワーク乾燥室４の外壁を連続的に加熱し、ワーク乾燥室４が十分に加熱された後、ワーク乾燥室４内の溶剤蒸気はバルブ４を開にした状態で蒸留器真空系７に運ばれ、そこで液化されて再生溶剤となり、溶剤タンク２７や洗浄機２６に運ばれる。
【００１５】
蒸留器２内の溶剤蒸気の中に汚れた油脂分が多くなった際には、バルブＶ４を閉め、バルブＶ３を開き、第１外気導入配管６を経由して外気を蒸留器２に導入して、蒸留器２内の圧力を大気圧状態とする。このようにした後、バルブＶ８を開いて蒸留器２内にたまった液状の汚れた溶剤を廃油として排出する。
上記のようにして、廃油を排出した後は、上記の工程を繰り返して蒸留器２を稼動させることになる。
【００１６】
つぎにワーク乾燥室４を使用する場合について説明する。
ワーク乾燥室４内にワークを装入後、ワーク乾燥室真空系８（例えば、真空ポンプ）を作動させ、バルブＶ５を開き、ワーク乾燥室４内を減圧状態にする。
【００１７】
ついでバルブＶ５を閉じ、バルブＶ４を閉じ、バルブＶ２開き、蒸留器２内の溶剤蒸気を送り込み配管１１を経由してワーク乾燥室４内に送り込む。これにより、ワーク乾燥室４と蒸留器２内の圧力が同圧となり、両者の溶剤蒸気圧力が平衡する。
【００１８】
このような状態で、ワークがワーク乾燥室４内で加熱され、十分乾燥すれば本装置を使用する本来の目的は遂行されることになる。
その後はバルブＶ２を閉じ、バルブＶ７を開くことにより、ワーク乾燥室４内に貯留する液化した溶剤蒸気（残液）を第１液抜き配管２１を経由して残液受け２３に抜き取る。
【００１９】
このようにして残液を残液受け２３に抜き取った後、バルブＶ７を閉め、バルブＶ５を開いてワーク乾燥室真空系８を稼動させることにより、ワーク乾燥室４内を真空乾燥する。バルブＶ４は、通常はワーク乾燥室４が稼動しているときは閉になっているが、最終的な真空乾燥時にバルブＶ４を閉にするか、開にするかは、その対象たるワークの乾燥性（主に形状による）に依存するので、それに応じて適宜選択する必要がある。ワークの乾燥後には、バルブＶ６を開き、第２外気導入配管９から外気をワーク乾燥室４内に導入して、ワーク乾燥室４内の圧力を大気圧に戻し、ワークをワーク乾燥室４から搬出する。
【００２０】
本考案による加熱装置を採用することで、溶剤蒸気でワーク乾燥室４も加熱するので、ワーク乾燥室４の内壁に付着した油分が洗い流されることになり、常にワーク乾燥室内は清浄に保たれるようになる。
また本考案装置を用いてワーク乾燥室４を加熱した場合には、従来装置の欠点であるところの、加熱のしすぎにより、ワーク乾燥室４内部の油脂分の残存の危険性が低減される。
【産業上の利用可能性】
【００２１】
本考案のワーク乾燥室の加熱装置は、ワークを洗浄する装置を使用する業界において特に利用することが可能である。
【図面の簡単な説明】
【００２２】
【図１】本考案の全体を示す構成図である。
【図２】従来装置（加熱器の加熱源として、熱媒体油を使用する例）の全体を示す構成図である。
【図３】従来装置（加熱器の加熱源として、スチームを使用する例）の全体を示す構成図である。
【符号の説明】
【００２３】
１…溶剤導入配管
２…蒸留器
３…加熱槽
４…ワーク乾燥室
５…加熱器
６、９…外気導入配管
７…蒸留器真空系
８…ワーク乾燥室真空系
１０、２３…残液受け
１１…送り込み配管
１２…加熱油槽
１３…加熱油循環ポンプ
１７…スチーム
１８…スチーム配管
１９…スチームトラップ
２０…ワーク乾燥室の加熱装置
２１，２２…液抜き配管
２３…残液受け
２４…ヒーター
２５…加熱管
２６…洗浄機
２７…溶剤タンク
Ｖ１〜Ｖ８…バルブ
【図１】
0003111506.tif 000003
【図２】
0003111506.tif 000004
【図３】
0003111506.tif 000005